(57)【要約】【課題】硬化後のライニング材から発生する臭気を除去する方法を提供すること。【解決手段】下水道本管１００の内面に硬化性樹脂組成物を含むライニング材５０を密着させて硬化させた後に発生する臭気を除去する方法であって、硬化した前記ライニング材５０を加熱する加熱工程を含むことを特徴とする臭気除去方法。【選択図】図３
2015003393.tif 000002
【特許請求の範囲】
【請求項１】
既設管の内面に硬化性樹脂組成物を含むライニング材を密着させて硬化させた後に発生する臭気を除去する方法であって、
硬化した前記ライニング材を加熱する加熱工程を含むことを特徴とする臭気除去方法。
【請求項２】
前記加熱は、加熱流体を前記ライニング材の一端から他端に向けて送ることにより行うことを特徴とする請求項１に記載の臭気除去方法。
【請求項３】
前記加熱は、火炎噴射器を前記ライニング材の長さ方向の一方の端部の近傍に配置し、他方の端部方向に火炎を噴射することにより行うことを特徴とする請求項１又は２に記載の臭気除去方法。
【請求項４】
前記加熱は、加熱装置を前記ライニング材の内側に配置して移動させることにより行うことを特徴とする請求項１又は２に記載の臭気除去方法。
【請求項５】
前記加熱装置による加熱時に前記ライニング材の一端から他端に向けて気体を流すことを特徴とする請求項４に記載の臭気除去方法。
【請求項６】
前記加熱は、前記ライニング材の長さ方向両端を密閉して行うことを特徴とする請求項１、２、４及び５の何れか１項に記載の臭気除去方法。
【請求項７】
前記硬化前のライニング材は、前記硬化性樹脂組成物を含む基材層と、該基材層の一方の面に積層され且つ前記密着状態において前記基材層よりも内側に位置する内側保護フィルム層とを有し、
前記ライニング材の硬化後且つ前記加熱工程の前に、前記内側保護フィルム層を剥離する剥離工程を行うことを特徴とする請求項１〜６の何れか１項に記載の臭気除去方法。
【請求項８】
前記硬化性樹脂組成物は、重合性樹脂、重合性モノマー及び重合開始剤を含み、前記臭気は未反応の前記重合性モノマーに起因するものであることを特徴とする請求項１〜７の何れか１項に記載の臭気除去方法。
【発明の詳細な説明】
【技術分野】
【０００１】
本発明は、既設管の内面に硬化性樹脂組成物を含むライニング材を密着させて硬化させた後に発生する臭気を除去する方法に関する。
【背景技術】
【０００２】
下水管は長年の使用により劣化し、その耐用年数は一般に約５０年とされているため、耐用年数を超えた下水管は年々増加している。老朽化した下水管は変形や亀裂等が生じており、下水の流下機能が低下するだけでなく、下水管周囲の地下水や土砂が下水管内に流入することによって地中に空洞が生じることから地面陥没の原因にもなっている。また、地中に埋設される下水管は地震等の地盤変動による影響を受けやすいこともあり、種々の事情から所定の時期に何らかの補修が必要となるのが現状である。
【０００３】
下水道等の既設管の補修方法としては、例えば、光や熱で硬化する硬化性樹脂組成物を含むライニング材で内層管を形成する補修方法が知られている（特許文献１及び２）。この補修方法では、未硬化状態の管状のライニング材を折り畳まれた状態で既設管内に導入した後、ライニング材の両端部を閉塞部材で密閉し、その密閉空間内に圧縮空気を供給して、ライニング材を折り畳まれた状態から既設管内面に密着させた状態としてから、光や熱によりライニング材を硬化させ、既設管内面を硬化したライニング材（内層管）で被覆している。
【先行技術文献】
【特許文献】
【０００４】
【特許文献１】特開２０１０−０６４２６１号公報
【特許文献２】特開平９−１２３２７９号公報
【発明の概要】
【発明が解決しようとする課題】
【０００５】
上記のようなライニング材を用いた既設管補修方法では、硬化後のライニング材に揮発性の物質（スチレン等の低分子化合物）が残存し、これが揮発して臭気が発生するという問題がある。この臭気は、補修後数ヶ月に亘って発生し続けるので近隣住民への影響が少なくなく、また、臭気の原因物質は環境に対して不適である場合もあるため除去する必要がある。
【０００６】
本発明はこのような事情に鑑みてなされたものであり、その目的は、硬化後のライニング材から発生する臭気を除去する方法を提供することにある。
【課題を解決するための手段】
【０００７】
上記目的を解決するため、請求項１に記載の臭気除去方法は、
既設管の内面に硬化性樹脂組成物を含むライニング材を密着させて硬化させた後に発生する臭気を除去する方法であって、硬化した前記ライニング材を加熱する加熱工程を含むことを特徴とする。
【０００８】
この構成によれば、硬化後のライニング材を加熱してライニング材に含まれる臭気原因物質の気化を促すことにより、ライニング材内部の臭気原因物質の量が低減されるので、ライニング材から発生する臭気を抑制することができる。
【０００９】
請求項２に記載の臭気除去方法は、
前記加熱は、加熱流体を前記ライニング材の一端から他端に向けて送ることにより行うことを特徴とする。
【００１０】
この構成によれば、加熱をしながら気化した臭気をライニング材の外に送ることができるので、既設管の内側で臭気が滞ることなく、効率的に臭気を除去することが可能となる。
【００１１】
請求項３に記載の臭気除去方法は、
前記加熱は、火炎噴射器を前記ライニング材の長さ方向の一方の端部の近傍に配置し、他方の端部方向に火炎を噴射することにより行うことを特徴とする。
【００１２】
この構成によれば、火炎噴射器を上記箇所に配置して稼働させるだけで硬化したライニング材を加熱することができるので、加熱作業の容易化が図られる。特に、作業者が立ち入り難い下水道等の埋設管に好適に適用することができる。
【００１３】
請求項４に記載の臭気除去方法は、
前記加熱は、加熱装置を前記ライニング材の内側に配置して移動させることにより行うことを特徴とする。
【００１４】
この構成によれば、加熱装置によりライニング材内面近くから確実に熱エネルギーを付与することができるので、臭気原因物質の気化を的確に促すことができる。
【００１５】
請求項５に記載の臭気除去方法は、
前記加熱装置による加熱時に前記ライニング材の一端から他端に向けて気体を流すことを特徴とする。
【００１６】
この構成によれば、加熱をしながら気化した臭気をライニング材の外に送ることができるので、既設管の内側で臭気が滞ることなく、効率的に臭気を除去することが可能となる。
【００１７】
請求項６に記載の臭気除去方法は、
前記加熱は、前記ライニング材の長さ方向両端を密閉して行うことを特徴とする。
【００１８】
この構成によれば、ライニング材の内側に密閉空間が形成されるので、加熱を行う際にはライニング材の外側の周囲環境を考慮する必要はなく、密閉空間の温度のみを考慮すればよいため、加熱温度の調整が容易となる。
【００１９】
請求項７に記載の臭気除去方法は、
前記硬化前のライニング材は、前記硬化性樹脂組成物を含む基材層と、該基材層の一方の面に積層され且つ前記密着状態において前記基材層よりも内側に位置する内側保護フィルム層とを有し、前記ライニング材の硬化後且つ前記加熱工程の前に、前記内側保護フィルム層を剥離する剥離工程を行うことを特徴とする。
【００２０】
一般にライニング材として使用されることが多い内側保護フィルムを有するライニング材において、そのライニング材を基材層が内側保護フィルムで保護されている状態で硬化した後、内側保護フィルムを剥離して硬化性樹脂組成物が硬化した基材層を露出させ、臭気原因物質を含む基材層を直接加熱することで、臭気原因物質を効率的に気化させることができる。
【００２１】
請求項８に記載の臭気除去方法は、
前記硬化性樹脂組成物は、重合性樹脂、重合性モノマー及び重合開始剤を含み、前記臭気は未反応の前記重合性モノマーに起因するものであることを特徴とする。
【００２２】
ライニング材に使用されることが多い上記成分を含む硬化性樹脂組成物には硬化反応が良好に行われるように重合性モノマーを過剰量で配合することが多く、未反応の重合性モノマーが硬化後のライニング材の内部に残り、それが臭気原因物質となる。本発明はそのような硬化性樹脂組成物を用いたライニング材に好適に適用することができる。
【発明の効果】
【００２３】
本発明の臭気除去方法によれば、ライニング材に含まれる臭気原因物質の気化を促し、ライニング材に含まれる臭気原因物質を低減することにより、ライニング材から発生する臭気を抑制することができる。したがって、既設管補修後において臭気による近隣住民や環境への影響を防止することが可能となる。
【図面の簡単な説明】
【００２４】
【図１】既設管の補修過程を示す説明図である。
【図２】既設管の補修完了後の状態を示す説明図である。
【図３】ライニング材を加熱流体で加熱する様子を示す説明図である。
【図４】ライニング材を火炎噴射器で加熱する様子を示す説明図である。
【図５】ライニング材を移動式加熱装置で加熱する様子を示す説明図である。
【図６】ライニング材の一例を示す部分断面図である。
【発明を実施するための形態】
【００２５】
以下、本発明の臭気除去方法の実施の形態を詳細に説明する。本発明の臭気除去方法は、既設管の内面を被覆している硬化後のライニング材を加熱する工程を含む。すなわち、本発明の臭気除去方法を行う前にはライニング材を使用した既設管の補修が既に行われた状態にある。以下、本発明の前提となるライニング材を用いた既設管の補修についてまず説明する。
【００２６】
硬化性樹脂組成物を含むライニング材を使用した既設管の補修は従来と同様の方法で行われる。以下の例では、光硬化性樹脂組成物を含むライニング材（光硬化性ライニング材）を用いた場合を説明するが、本発明の臭気除去方法は熱硬化性樹脂組成物を含むライニング材（熱硬化性ライニング材）を使用した場合でも適用可能である。
【００２７】
図１は既設管としての下水道本管１００内に導入された硬化性樹脂組成物を含む管状のライニング材５０を硬化している状況（補修作業）を示す説明図である。補修前の事前準備として、マンホール１０２−１において補修対象の下水道本管１００と間接的に接続される上流側の下水道本管１０１−１内に、下水の流れを塞き止めるための塞止部材９０が設置される。
【００２８】
下水道本管１００内に導入された未硬化状態のライニング材５０は、その両端が閉塞部材６２−１、６２−２で密閉され、これにより形成した密閉空間７０に作業機６６からホース６８を介して気体を導入することによりライニング材５０の外面と下水道本管１００の内面が密着した状態となっている。閉塞部材６２−１、６２−２は、その内部に後述するケーブル６４やホース６８、７４を挿通することができる円柱状の形状をしており、ライニング材５０の端部内側に設置されてライニング材５０の外側からバンド６３で締め付けられて固定されている。
【００２９】
そして、上記密着状態で光照射装置６０によりライニング材５０に光照射を行うことによりライニング材５０を硬化させる。光照射装置６０は移動式のものであり、ケーブル６４で牽引することにより一方の閉塞部材６２−１側から他方の閉塞部材６２−２側に向けて移動しながら光硬化性ライニング材５０に光照射を行う。なお、光硬化反応により生じる熱をライニング材５０の外に逃すために、光照射の際には、作業機６６からホース６８を介して密閉空間７０に空気等の気体を導入し、他端からホース７４を介して気体回収機７２で導入した気体を回収することで、密閉空間７０内には閉塞部材６２−２側から閉塞部材６２−１側に向けて気体が流れている。
【００３０】
ライニング材５０全体を光照射して硬化作業を終えた後、硬化反応により高温となったライニング材５０を、自然冷却により又は密閉空間７０に冷風等を供給することにより冷却する。その後、両端の閉塞部材６２−１、６２−２を取り外し、光照射装置２０を取り出し、硬化したライニング材１２の両端の管口処理を行うことで、図２に示すように、下水道本管１００の内面上に硬化した筒状のライニング材（内層管）５０が形成され、補修作業が完了する。なお、ライニング材が熱硬化性ライニング材の場合は、ヒータや赤外線照射機能を備えた加熱装置を上記光照射装置６０と同じように移動させながら加熱を行うことによりライニング材を硬化させる。
【００３１】
このように硬化したライニング材５０は硬化性樹脂組成物に含まれる臭気原因物質を起因として臭気が発生している。本発明では、この臭気を除去するため、硬化したライニング材５０の加熱を行う。
【００３２】
硬化後のライニング材５０を加熱することにより、ライニング材５０に含まれる臭気原因物質の気化を促すことができ、加熱後のライニング材５０に含まれる臭気原因物質が低減されることから、ライニング材５０から発生する臭気を抑制することができる。
【００３３】
加熱を行う方法としては、加熱流体をライニング材５０の内側でその一端から他端に向けて送ることにより行う方法や、加熱装置をライニング材５０の内側に配置して移動させることにより行う方法等を採用することができる。
【００３４】
図３は本発明の実施の形態の一例を示す説明図であり、硬化したライニング材５０を加熱流体により加熱する様子を示している。ライニング材５０の内側の両端部には閉塞部材１２−１、１２−２が設置されて、ライニング材５０の内側の空間は密閉空間８０とされている。
【００３５】
閉塞部材１２−１及び１２−２はそれぞれホース１６、２０が挿通される挿通部が備えられている。加熱を行うには、加熱流体供給機１４からホース１６を介して閉塞部材１２−２側から密閉空間８０内に加熱流体を導入する。一方、閉塞部材１２−１側では、加熱流体回収機１８によってホース２０を介して密閉空間８０の加熱流体が排出される。これにより、ライニング材５０の内側の密閉空間８０には、閉塞部材１２−２側から閉塞部材１２−１側に向けて（矢印２００方向に）加熱流体が送られている。加熱流体としては、加熱した空気や水蒸気等を使用することができる。加熱流体の温度は６０〜９０℃であることが好ましい。この温度範囲内であれば硬化したライニング材の過度の温度上昇による劣化が生じることなく、効果的に臭気発生物質を気化させることが可能である。
【００３６】
閉塞部材１２−１側から排出される加熱流体にはライニング材５０に含まれていた臭気原因物質の気化物が含まれており、加熱流体回収機１８によってその気化物は処理される。
【００３７】
本図で示した加熱方法によれば、加熱をしながら気化した臭気をライニング材の外に排出することができるので、下水道本館１００の内側で臭気が滞ることなく、効率的に臭気を除去することが可能である。
【００３８】
図４は本発明の他の実施の形態を示す説明図であり、硬化後のライニング材５０の他の加熱方法を示す説明図である。図示されているように、バーナー等の火炎噴射器３０が一方のマンホール１０２−１の底部に設置され、ライニング材５０の長さ方向端部５０ａの外側近傍に配置されている。そして、火炎噴射器３０から他方の端部５０ｂ方向に向けて火炎が噴射される。火炎噴射器３０とライニング材５０の間には、ラッパ口部材３２が配置されており、これにより火炎噴射器３０により生じた熱風が周りの空気を抱き込んでライニング材５０の内側に送り込まれている。ラッパ口部材３４は、火炎噴射器３０の火炎噴射能力等を考慮して必要に応じて配置されるものである。
【００３９】
そして、ライニング材５０の内側に送り込まれた熱風は、一方のマンホール１０２−２側から他方のマンホール１０２−１側（矢印方向）に送られ、更にライニング材５０の他方の端部５０ｂを通過した後はマンホール１０２−１内を上方に向かって送られる。上方に向かって送られた熱風は、マンホール１０２−１上の地上に配置された臭気処理装置３４（活性炭等の吸着剤が含まれている。）に入り、ここで熱風に含まれる臭気は処理される。臭気処理装置３４にはファン３５が備えられており、ファン３５を稼働させることにより熱風を効率的に取り込んでいる。処理された気体は排気管３４ａから排出される。
【００４０】
本図で示した加熱方法によれば、火炎噴射器３０を上記箇所に配置して稼働させるだけで硬化したライニング材５０を加熱することができるので、加熱作業の容易化が図られる。
【００４１】
なお、臭気処理装置３４に流入する前の気体中の臭気原因物質の濃度を測定するために、臭気処理装置３４の下に濃度測定器を取り付けることも好適である。これにより、臭気の除去程度を確認することができるので作業を効率的に行うことができる。
【００４２】
図５は本発明の他の実施の形態を示す説明図であり、硬化後のライニング材の内側に加熱装置３６を配置して移動させることにより加熱を行う様子を示している。図３に示した例と同様に、閉塞部材１２−１、１２−２をライニング材５０の内側の両端近傍に配置することにより密閉空間８０が形成されている。
【００４３】
密閉空間８０には２つのヒータが連結された移動式の加熱装置３６が配置されており、ケーブル３８で牽引することにより一方の閉塞部材１２−１側から他方の閉塞部材１２−２側に向けて（矢印３００方向に）移動しながらライニング材５０を加熱し、ライニング材５０に含まれる臭気原因物質の気化を促している。
【００４４】
密閉空間８０には、地上に配置された作業機２２からホース２４を介して気体が導入されており、導入された気体は気体回収機２６によってホース２８を介して密閉空間８０の外に排出され、これにより、一方の閉塞部材１２−１側から他方に閉塞部材１２−２側に向けて（矢印４００方向に）気体が送られている。この気体は現場の雰囲気温度の気体でもよいし、加熱した気体でもよい。気体回収機２６では回収された気体に含まれる臭気原因物質の処理が行われる。
【００４５】
ライニング材５０の全域を加熱装置３６により加熱した後、加熱装置３６、閉塞部材１２−１、１２−２等を撤去し、臭気除去作業が終了する。
【００４６】
本図で示した加熱方法によれば、加熱装置３６によりライニング材５０内面近くから確実に熱エネルギーを付与することができるので、臭気原因物質の気化を的確に促すことができる。また、加熱をしながら気化した臭気をライニング材５０の外に排出しているので、下水道本館１００の内側で臭気が滞ることなく、効率的に臭気を除去することが可能である。
【００４７】
図３〜図５に示した例において、加熱を行う時間は、対象となる管の管径や長さあるいは周囲環境温度等によって異なるが、例えば２〜５時間である。また、図３及び図５で示した例では、一方の閉塞部材１２−１は設けずに開放状態として、加熱流体回収機１８（図３）及び気体回収機２６（図５）の代わりに、図４で示した臭気処理機３４を配置してもよい。
【００４８】
また、図３及び図５に示した例では、ライニング材５０の内側に密閉空間８０が形成されているので、加熱を行う際にはライニング材５０の外側の周囲環境を考慮する必要はなく、密閉空間８０の温度のみを考慮すればよいため、加熱温度の調整が容易となる。
【００４９】
図６は硬化前のライニング材５０の一例を示す部分断面図である。ライニング材５０は、硬化性樹脂組成物を含む基材層４２と、基材層４２の内側に積層される内側保護フィルム４４と、基材層４２の外側に積層される外側保護フィルム４６とを有している。ライニング材５０が下水道本管１００に密着した状態では、外側保護フィルム４６が下水道本管１００に接した状態となり、内側保護フィルム４４は基材層４２よりも内側に位置した状態となる。基材層４２はガラス繊維などの基材に硬化性樹脂組成物を含浸させることにより形成することができる。
【００５０】
硬化前のライニング材５０の硬化作業では、内側保護フィルム４４は剥離されていない状態で光照射や加熱によるライニング材５０の硬化が行われ、硬化後に内側保護フィルム５０は剥離されるが、剥離すると臭気原因物質を含む基材層４２が露出した状態となり、臭気原因物質が光硬化性ライニング材５０の内側からマンホール１０２を介して地上に放散される。本発明では、このようなライニング材５０を用いて補修作業を行った場合に、露出した基材層を直接加熱することで、効率的に臭気を除去することができる。
【００５１】
本発明では、未硬化状態のライニング材に含まれる硬化性樹脂組成物は光で硬化する光硬化性樹脂組成物であってもよいし、熱で硬化する熱硬化性樹脂組成物であってもよい。
【００５２】
硬化性樹脂組成物には通常、重合性樹脂、重合性モノマー及び重合開始剤が含まれる。本発明において、これら成分及び配合量は従来から用いられているものと同様でよい。
【００５３】
重合性樹脂としては、不飽和ポリエステル樹脂、ビニルエステル樹脂等を使用することができる。不飽和ポリエステル又はビニルエステル樹脂等の重合性樹脂は重合性モノマーに溶解された溶解液として使用される。重合性モノマーとしては、スチレン、ビニルトルエン及びα−メチルスチレン等の芳香族ビニルモノマー；メチルメタクリレート、エチルメタクリレート、ｎ−ブチルメタクリレート、イソブチルメタクリレート、２−エチルヘキシルメタクリレート等のメタクリレート系モノマーを挙げることができる。これら重合性モノマーは、単独使用でも２種以上併用でもよい。一般的にはスチレンが使用される。
【００５４】
重合性モノマーは硬化性樹脂組成物全体の質量に対して一般に２５〜４０質量％の量で使用される。
【００５５】
重合開始剤としては、熱硬化性ライニング材の場合には熱で分解する有機過酸化物等を使用することができ、光硬化性ライニング材の場合には、公知の紫外線重合開始剤及び／又は可視光重合開始剤等の光重合開始剤を使用することができる。重合開始剤の使用量は、硬化性樹脂組成物全体の質量に対して通常０．０１〜７質量％である。
【００５６】
硬化性樹脂組成物には、反応を良好に行わせるため、重合性モノマーを過剰量で使用することが多いが、これにより未反応の重合性モノマーが硬化後のライニング材に残存し、臭気の原因となる。本発明の臭気除去方法は、このようなスチレン等の未反応の重合性モノマーに起因する臭気の除去に好適に適用することができる。
【００５７】
本発明は上述した実施の形態に限定されることなく、本発明の要旨を超えない範囲で種々の変更が可能である。本発明の臭気除去方法は、ライニング材を硬化した後すぐに行ってもよいし、一定期間（数日〜数ヶ月）経過した後に行ってもよい。
【００５８】
また、上述した例では、既設管としてマンホール間に埋設される下水道本管を例にとって説明したがこれに限られず、本発明は集水桝と下水道本管とを連通接続する取付管や、地上に在る種々の配管にも適用可能である。
【符号の説明】
【００５９】
１２−１、１２−２  閉塞部材
１４  加熱流体供給機
１６  ホース
１８  加熱流体回収機
２０  ホース
２２  気体供給機
２４  ホース
２６  気体回収機
２８  ホース
３０  火炎噴射器
３２  ラッパ口部材
３４  臭気処理器
３５  ファン
３６  加熱装置
３８  ケーブル
４２  基材層
４４  内側保護フィルム
４６  外側保護フィルム
５０  ライニング材
６０  光照射装置
６２−１、６２−２  閉塞部材
６４  ケーブル
６６  作業機
６８  ホース
７０  密閉空間
７２  気体回収機
７４  ホース
８０  密閉空間
９０  閉塞部材
１００  下水道本管
１０２−１、１０２−２  マンホール
【図１】
2015003393.tif 000003
【図２】
2015003393.tif 000004
【図３】
2015003393.tif 000005
【図４】
2015003393.tif 000006
【図５】
2015003393.tif 000007
【図６】
2015003393.tif 000008